(57)【要約】      （修正有）【課題】コンパクトにまとめて着脱でき、取付けやメンテナンス等が容易にできる防犯カメラ付き照明装置を提供する。【解決手段】ソーラーパネル６とソーラーパネル６により蓄電されるバッテリー１７と、バッテリー１７の電力により作動するＬＥＤ照明灯１８及びカメラ２１とを備え、固定物に取付けて支持される防犯カメラ付照明装置であって、ＬＥＤ照明灯１８とカメラ２１とを下面側に下向きに設置し、ＬＥＤ照明灯１８の点滅とバッテリー１７の充放電を制御する制御部１９とバッテリー１７とを内蔵するユニットケースの上部に、ソーラーパネル６を連結し、ソーラーパネル６とユニットケースとを支柱その他の固定物に対し取付具２により一体的に取付けて支持させている。取付具２は先端部にパネルフレーム６とユニットケースを上下に連結して取付け、基端部を固定物に取付ける取付部５とした取付アーム２である。【選択図】図２
0003218750.tif 000002
【実用新案登録請求の範囲】
【請求項１】
ソーラーパネル（６）と該ソーラーパネル（６）により蓄電されるバッテリー（１７）と、バッテリー（１７）の電力により作動するＬＥＤ照明灯（１８）及びカメラ（２１）とを備え、固定物（１）に取付けて支持される防犯カメラ付照明装置であって、ＬＥＤ照明灯（１８）とカメラ（２１）とを下面側に下向きに設置し、ＬＥＤ照明灯（１８）の点滅とバッテリー（１７）の充放電を制御する制御部（１９）と前記バッテリー（１７）とを内蔵するユニットケース（７）の上部に、前記ソーラーパネル（６）を連結し、該ソーラーパネル（６）とユニットケース（７）とを支柱その他の固定物（１）に対し取付具（２）により一体的に取付けて支持させた防犯カメラ付き照明装置。
【請求項２】
取付具が先端部にパネルフレーム（６）とユニットケース（７）を上下に連結して取付け、基端部を固定物（１）に取付ける取付部（５）とした取付アーム（２）である請求項１に記載の防犯カメラ付き照明装置。
【請求項３】
取付アーム（２）の先端にリング状のボス部（３）を形成し、該ボス部（３）を介してソーラーパネル（６）とユニットケース（７）を連結した請求項２に記載の防犯カメラ付き照明装置。
【請求項４】
パネルフレーム（６）とユニットケース（７）の連結部を平面視でそれぞれの中心部に設け、ソーラーパネル（６）とユニットケース（７）が略同一軸心上に支持される請求項１〜３のいずれかに記載の防犯カメラ付き照明装置。
【請求項５】
ユニットケース（７）が下向きのドーム状又は台形状に形成されたアンダーカバー（１１）と、該アンダーカバー（１１）の上側を密閉状態で塞ぐように連結されたアッパーカバー（１２）とを備え、上記アンダーカバー（１１）の周壁に下向きの取付窓（２８）を形成し、該取付窓（２８）にカメラ（２１）を外周方向下向きに傾斜させて取付けてなる請求項１〜４に記載の防犯カメラ付き照明装置。
【請求項６】
アンダーカバー（１１）周壁の下面側にユニットケース（７）の下方及び下方周辺を照射するＬＥＤ照明灯（１８）を取付けてなる請求項５に記載の防犯カメラ付き照明装置。
【請求項７】
取付窓（２８）をアンダーカバー（１１）の周壁に所定の方向に分散させて複数個設け、１台のカメラ（２１）を取付けた取付窓（２８）以外の取付窓をＬＥＤ照明灯（１８）とカメラ（２１）のいずれか一方又は両方の増設用の予備取付窓とし、該予備取付窓には不使用時にこれを密閉する窓カバー（２９）を設けてなる請求項５又は６に記載の防犯カメラ付き照明装置。
【考案の詳細な説明】
【技術分野】
【０００１】
この考案は防犯カメラ付き照明装置に関する。
【背景技術】
【０００２】
従来屋外用防犯カメラ付き照明装置としては、例えば特許文献１に示すように、電源としての太陽電池モジュール（ソーラーパネル）と蓄電池，ＬＥＤ照明，カメラとを屋外に立設した支柱に設けたものが公知である。また交流電源に接続されるとともに筐体状の照明ユニット内にＬＥＤ照明とカメラやカメラ電源を収容したものも知られている（特許文献２参照）。
【先行技術文献】
【特許文献】
【０００３】
【特許文献１】実用新案登録第３１５１５２９号公報
【特許文献２】特開２０１６−７２２０３号公報
【考案の概要】
【考案が解決しようとする課題】
【０００４】
しかし上記特許文献１の照明装置は、ソーラーパネルとＬＥＤ照明及びカメラが支柱１上部に各別に取付けられ、これらを制御する制御系や電源、レコーダ等は支柱下部の制御ボックス内に設置されているため、柱上設置機器は個別に防水構造にし且つ個別に取付けるための構造や部品、取付労力が必要となるほか、制御系と柱上設置機器の配線、制御ボックスの操作機器等が必要となる欠点がある。またこの例では支柱自体が専用品であり、全体としてコスト高となる。
【０００５】
また、特許文献２の考案はＬＥＤ照明やカメラ，制御装置等を柱状の照明ユニット内に収納しているが、この例では交流電源から蓄電を行うので、ソーラーパネルを使用する場合、別途用意して別に取付ける必要がある。
【課題を解決するための手段】
【０００６】
上記課題を解決するための照明装置は、第１にソーラーパネル６と該ソーラーパネル６により蓄電されるバッテリー１７と、バッテリー１７の電力により作動するＬＥＤ照明灯１８及びカメラ２１とを備え、固定物１に取付けて支持される防犯カメラ付照明装置であって、ＬＥＤ照明灯１８とカメラ２１とを下面側に下向きに設置し、ＬＥＤ照明灯１８の点滅とバッテリー１７の充放電を制御する制御部１９と前記バッテリー１７とを内蔵するユニットケース７の上部に、前記ソーラーパネル６を連結し、該ソーラーパネル６とユニットケース７とを支柱その他の固定物１に対し取付具２により一体的に取付けて支持させたことを特徴としている。
【０００７】
第２に、取付具が先端部にパネルフレーム６とユニットケース７を上下に連結して取付け、基端部を固定物１に取付ける取付部５とした取付アーム２であることを特徴としている。
【０００８】
第３に、取付アーム２の先端にリング状のボス部３を形成し、該ボス部３を介してソーラーパネル６とユニットケース７を連結したことを特徴としている。
【０００９】
第４に、パネルフレーム６とユニットケース７の連結部を平面視でそれぞれの中心部に設け、ソーラーパネル６とユニットケース７が略同一軸心上に支持されることを特徴としている。
【００１０】
第５に、ユニットケース７が下向きのドーム状又は台形状に形成されたアンダーカバー１１と、該アンダーカバー１１の上側を密閉状態で塞ぐように連結されたアッパーカバー１２とを備え、上記アンダーカバー１１の周壁に下向きの取付窓２８を形成し、該取付窓２８にカメラ２１を外周方向下向きに傾斜させて取付けてなることを特徴としている。
【００１１】
第６に、アンダーカバー１１周壁の下面側にユニットケース７の下方及び下方周辺を照射するＬＥＤ照明灯１８を取付けてなることを特徴としている。
【００１２】
第７に、１台のカメラ２１を取付けた取付窓２８以外の取付窓をＬＥＤ照明灯１８とカメラ２１のいずれか一方又は両方の増設用の予備取付窓とし、該予備取付窓には不使用時にこれを密閉する窓カバー２９を設けてなることを特徴としている。
【考案の効果】
【００１３】
以上のように構成される本考案の照明装置によれば、単一の取付具に対し、カメラと蓄電池，ＬＥＤ照明灯，制御装置を収納したユニットケースとソーラーパネルが取付具を介して一体的にコンパクトに連結して取付けられるので、全体をまとめて一回の取付作業により取付けられるほか、部品交換その他のメンテナンスも全体をまとめて取外して地上で点検やメンテナンス作業ができるので、作業効率が向上するほか、全体のコストの低減が可能となる。
【００１４】
また取付具の選択により支柱に限らず壁面やその他の連結部にも容易に取付けられるので使用条件の汎用性が高い。
【００１５】
さらにドーム型の上下のカバーからなるユニットケースとソーラーパネルの中心で連結することにより、全体が同一軸心上でまとめられるので、組立や固定物への取付も容易で取付後の安定性もよく、強風や振動に対する耐久性が確保できるほか、下部のＬＥＤ照明範囲とカメラの撮影範囲との機能的な整合性もよく、防犯装置としての機能性も高くなる利点がある。
【００１６】
その他、使用目的や設置場所の条件に応じてＬＥＤ照明やカメラの増設ができ、上向きに設置したソーラーパネルの中心下にユニットケースを設置することにより、ユニットケースがソーラーパネルによって遮光され、雨水に対するカバーとなる利点もある。
【図面の簡単な説明】
【００１７】
【図１】本考案の装置の取付状態を示す全体斜視図である。
【図２】同じく装置の分解斜視図である。
【考案を実施するための形態】
【００１８】
図１，図２は本考案の装置の実施例を示し、この例では地上又は倉庫等建造物内，地下通路等の床面上に立設される支柱１に対して照明装置全体がまとめてボルト締めにより基端側の取付部５において取付けられる取付具（取付アーム）２が設けられ、該取付アーム２の先端のリング状のボス部３の中心に、連結具４を介して上側にソーラーパネル６が、下側にユニットケース７が上下着脱可能に連結して取付けられている。
【００１９】
ソーラーパネル６はこの例では、全体が長方形又は正方形で、上面側に発電用のパネル（モジュール）８が上向きに、その下側（裏側）にはパネル８を嵌合して下側より支持するパネルフレーム９が、その中央が下向きで緩やかな傾斜の台形状に突出して取付けられており、下向きの傾斜面には内部を通風によって冷却する通気孔１０が適宜ピッチ毎に設けられている。
【００２０】
ユニットケース７は、側面視で駒型又は円盤状に形成され、上下に山形に突出するアンダーカバー１１とアッパーカバー１２とが、防水用のパッキン１３を介して密閉嵌合して連結固定されており、この固定はアンダーカバー１１内に上向きに突設された複数本のボス部１４と、これに対応してアッパーカバー１２に穿設されたビス孔１６とを介したビス（図示しない）止めによって行われる。
【００２１】
上記ユニットケース７の内部にはパネル８の受光によって発電された電力を充電するバッテリー１７と、パネル８の受光量（発電量）に応じて次に述べるＬＥＤ照明灯１８への放電（点灯）とカメラ制御を行う制御部１９、照明装置の近傍を常時撮影しているビデオカメラよりなるビデオレコーダー（図示しない）付のカメラ２１とが内蔵固定されている。ちなみにカメラ２１のカメラレンズ２１ａの外周位置には撮影照明を補充するＬＥＤランプや被写体の動作を検出するセンサー（いずれも図示しない）を設置することもできる。
【００２２】
またアンダーカバー１１の下部中央には、ＬＥＤ照明灯１８の取付窓２２が穿設され、この取付窓２２にはＬＥＤパネル２３を中心として上部に反射板２４、下部に拡散レンズ２６が重ね合わされた状態で取付けられ、２７はこれらの取付けをシールして防水構造を確保するためのリング状のパッキンである。
【００２３】
アンダーカバー１１のドームの下向きに傾斜した周壁には、複数（本例では５個）の取付窓２８が穿設されており、ここに前記カメラ２１の必要部位（カメラレンズ２１，撮影照明，センサー類等）が外部に露出するようにシールされて取付けられ、カメラ２１や予備的照明灯等が取付けられない取付窓２８を含めて窓カバー２９が装着されて密閉される。
【００２４】
次にアーム２に対する照明装置の取付機構につき説明すると、アッパーカバー１２の中心には、外周にねじ切りされたフランジ付のスリーブ状の受けボス３１が、アーム２のリング状のボス部３を貫いて上側に突出するように取付けられ、上側からは内部にねじ切りされたフランジ付のスリーブ状の押しボス３２が、リング状ボス部３に嵌合して受けボス３１にねじ込まれ、ユニットケース７がアーム２に締着固定される機構になっている。
【００２５】
上記押しボス３２のフランジ部の上面には２本の連結突起３２ａが突設されており、この突起３２ａに対応する一対のブラケット３３がパネルフレーム９の下端中央に取付けられている。上記突起３２ａの上端とブラケット３３の下端にはそれぞれ横方向のボルトピン３４によって回動調節（角度調節）可能に連結締着して固定されている。上記受けボス３１，押しボス３２，ブラケット３３は全体として連結具４を構成している。
【００２６】
尚、前記アンダーカバー１１，アッパーカバー１２，取付アーム２はいずれも硬質の強化樹脂で成形することが可能であるが、連結具４を構成する各部品や、ビス止めのナット部等は金属製のものを埋設して取付けており、受けボス３１，押しボス３２の中空部内はソーラーパネル６とユニットケース７間の配線スペースとなっている。これらの配線もケース内の防水のための十分なシールが施されている。
【００２７】
上記のように構成される本考案の装置は、一般の道路や倉庫，工場その他の建造物等の内部や近傍の支柱等の固定物に取付けて使用され、ビデオカメラ２１は常時作動して照明装置の下方近傍を撮影して（又は必要に応じ、センサー等で感知した動作のあるものだけを撮影）ビデオレコーダー（記憶装置）に記録保存する。他方夕方や夜間等又は建物内等で太陽光線の光量が少なく、時間当たりの充電量が設定値より低下した際は、制御部１９の作動により、ＬＥＤ照明灯１８を点灯（バッテリー１７より放電）させて撮影環境を整えてカメラ２１による撮影を継続し、逆にパネル８への受光量が多い時は充電を開始し、カメラ撮影は継続される。
【００２８】
上記ビデオ撮影の結果は、ビデオレコーダーに記憶させて記憶内容を定期的に監視端末に送信し、又は常時送信させて常に監視することも可能であり、これらは制御部１９での設定若しくは監視端末からの操作により自由に選択できる。またこれらの通信手段等は図示していないが、公知の手段により任意に設置できる。
【符号の説明】
【００２９】
１      固定物（支柱）
２      取付具（取付アーム）
３      リング状のボス部
４      連結具
５      取付部
６      ソーラーパネル
７      ユニットケース
１１    アンダーカバー
１２    アッパーカバー
１８    ＬＥＤ照明灯
２１    カメラ
２８    取付窓
２９    窓カバー
【図１】
0003218750.tif 000003
【図２】
0003218750.tif 000004
【手続補正書】
【提出日】平成30年9月10日(2018.9.10)
【手続補正１】
【補正対象書類名】実用新案登録請求の範囲
【補正対象項目名】請求項２
【補正方法】変更
【補正の内容】
【請求項２】
取付具が先端部にソーラーパネル（６）とユニットケース（７）を上下に連結して取付け、基端部を固定物（１）に取付ける取付部（５）とした取付アーム（２）である請求項１に記載の防犯カメラ付き照明装置。
【手続補正２】
【補正対象書類名】実用新案登録請求の範囲
【補正対象項目名】請求項４
【補正方法】変更
【補正の内容】
【請求項４】
ソーラーパネル（６）とユニットケース（７）の連結部を平面視でそれぞれの中心部に設け、ソーラーパネル（６）とユニットケース（７）が略同一軸心上に支持される請求項１〜３のいずれかに記載の防犯カメラ付き照明装置。
【手続補正３】
【補正対象書類名】明細書
【補正対象項目名】０００７
【補正方法】変更
【補正の内容】
【０００７】
第２に、取付具が先端部にソーラーパネル６とユニットケース７を上下に連結して取付け、基端部を固定物１に取付ける取付部５とした取付アーム２であることを特徴としている。
【手続補正４】
【補正対象書類名】明細書
【補正対象項目名】０００９
【補正方法】変更
【補正の内容】
【０００９】
第４に、ソーラーパネル６とユニットケース７の連結部を平面視でそれぞれの中心部に設け、ソーラーパネル６とユニットケース７が略同一軸心上に支持されることを特徴としている。